(57)【特許請求の範囲】
【請求項１】
レンズを保持する本体筒の外周に、絞り値設定用のアイリスリングを回動自在に配置し、該アイリスリングと、アイリスリングを回動させることにより駆動されて絞り値を設定する菊座とを連結ピンを介して連結したカメラ用レンズ鏡胴において、
前記本体筒側には、絞り値の設定後に前記連結ピンを係止してアイリスリングの回動を防止するロック機構が設けられ、
前記ロック機構は、前記連結ピンを光軸方向にスライド移動させて前記本体筒側に係止させる機構であり、
前記連結ピンは、前記本体筒に設けられたレンズ枠体の外周面に形成されたテーパ面に乗り上げて係止されることを特徴とするカメラ用レンズ鏡胴。
【発明の詳細な説明】
【０００１】
【発明の属する技術分野】
本発明はカメラ用レンズ鏡胴に係り、特に小型カメラに用いられるレンズ鏡胴において撮影条件を設定するための駆動リングをレンズ鏡胴の本体筒に対して確実にロックすることができるカメラ用レンズ鏡胴に関する。
【０００２】
【従来の技術】
監視用カメラ等に用いられる超小型カメラのレンズ鏡胴には、撮影条件を設定するために、絞り機構、フォーカス機構、ズーム機構等が備えられている。前記レンズ鏡胴の本体筒の内部には、後側レンズ群を保持したレンズ枠が設けられ、この本体筒の先端側には前側レンズ群を保持したレンズ枠が設けられている。また、レンズ鏡胴には、絞り駆動部を駆動するアイリスリングが回動自在に設けられている。このアイリスリングを回動すると、絞り羽根による絞り径が拡縮されて、絞り値が所定の値に設定される。
【０００３】
また、前記レンズ鏡胴は、アイリスリングの不用意な回動をロック手段によって防止して、設定した絞り値が狂うのを防止している。
従来のロック手段は、グリスの粘性を利用してアイリスリングの回動を防止する手段と、ロックネジによる固定手段とであり、前者は、アイリスリングと本体筒との間に粘性の高いグリスを注入し、このグリスによってアイリスリングのトルクを大きくすることにより、アイリスリングの回動を防止している。後者は、アイリスリングにタップ加工を行い、ロックつまみを外からねじ込むことにより内部の固定体に締め付けて、アイリスリングの回動を防止している。
【０００４】
【発明が解決しようとする課題】
しかしながら、グリスを用いた前記従来のロック手段は、グリスの温度特性によってトルクが変動するので、使用温度によってはアイリスリングを確実にロックすることができない場合があるという欠点がある。
また、前記ロック手段は、レンズ鏡胴の小型化を図るためにアイリスリングとして一枚の薄板（例えば、板厚０．５ｍｍ以下の薄板）をカーリングしたものを使用すると、その薄板の合わせ端の間に形成された開放端からグリスが漏出し、外観不良となる恐れがあった。また、ロックつまみによる固定では、薄板化したアイリスリングに適用する場合、タップ加工が不可能であるためロックつまみによる固定ができなかった。このため、従来のロック手段では、レンズ鏡胴を小型化することができないという欠点があった。
【０００５】
本発明はこのような事情に鑑みてなされたもので、撮影条件を設定するための駆動リングをレンズ鏡胴の本体筒に対して確実にロックすることができるカメラ用レンズ鏡胴を提供することを目的とする。
【０００６】
【課題を解決するための手段】
本発明は、前記目的を達成するために、レンズを保持する本体筒の外周に、絞り値設定用のアイリスリングを回動自在に配置し、該アイリスリングと、アイリスリングを回動させることにより駆動されて絞り値を設定する菊座とを連結ピンを介して連結したカメラ用レンズ鏡胴において、前記本体筒側には、絞り値の設定後に前記連結ピンを係止してアイリスリングの回動を防止するロック機構が設けられ、前記ロック機構は、前記連結ピンを光軸方向にスライド移動させて前記本体筒側に係止させる機構であり、前記連結ピンは、前記本体筒に設けられたレンズ枠体の外周面に形成されたテーパ面に乗り上げて係止されることを特徴としている。
【０００７】
本発明によれば、アイリスリングを回動して絞り値を所定の値に設定した後、連結ピンをロック機構によって係止してアイリスリングの回動を防止する。これにより、本発明は、アイリスリングをレンズ鏡胴の本体筒に対して確実にロックすることができる。
また、本発明によれば、連結ピンを光軸方向にスライド移動させて本体筒側に係止させるロック機構を採用したので、設定した絞り値が狂うことなくアイリスリングをロックすることができる。
【０００８】
本発明によれば、連結ピンを本体筒に設けたレンズ枠の外周面に形成されたテーパ面に乗り上げて係止させたので、部品点数を増加することなくロック機構を構成することができる。
【０００９】
【発明の実施の形態】
以下添付図面に従って本発明に係るカメラ用レンズ鏡胴の好ましい実施の形態について詳説する。
図１は、本発明の第１の実施の形態に係るカメラ用レンズ鏡胴１０の断面図である。同図に示すカメラ用レンズ鏡胴１０の本体筒１２には、後側レンズ群１４を保持するレンズ枠体１６が螺合されて配置されると共に、その前部には前側レンズ群１８が直接取り付けられている。なお、前記レンズ鏡胴１０では、フォーカス機能における焦点距離が所定の範囲に固定状態となっている。そして、本体筒１２の外周部に形成された小径部１３に、アイリスリング（駆動リング）２０が回動自在に装着されている。
【００１０】
前記アイリスリング２０は図２に示すように、金属製或いはプラスチック製で０．５ｍｍ以下の厚さからなる一枚の薄板を円筒状にカーリングし、その合わせ端が開放端Ｈとなるように形成されている。したがって、前記アイリスリング２０は、その開放端Ｈを広げて円筒径を大きくした状態で、前記本体筒１２の小径部１３に装着される。また、アイリスリング２０には、長孔状の係合孔２２が形成されており、この係合孔２２に連結ピン（連結部材）２４のヘッド部２６が摺動自在に係合される。
【００１１】
前記連結ピン２４は、本体筒１２の小径部１３に形成された組立用の開口部２８Ａを介して本体筒１２内に挿入される。また、連結ピン２４は、その下部に形成されたフランジ部３０が、菊座３２の切欠部３４に形成されたガイド溝３６に係合されることにより、菊座３２に連結される。したがって、アイリスリング２０を回動操作すると、菊座３２が図３に示した角度θの範囲で回動することができる。
【００１２】
前記菊座３２には、その中心に開口部３８が形成されると共に、前面にガイド溝４０が等間隔に３箇所形成される。そして、この菊座３２の前側には、図４に示すように３枚の絞り羽根４２、４２、４２が配置されており、これらの絞り羽根４２は、その一端が支持ピン４４によって本体筒に回動自在に支持され、他端に前記ガイド溝４０に係合する係合ピン４６が取り付けられている。したがって、図４上において、菊座３２を時計回り方向に回動すると、絞り開口４８が小さくなるように３枚の絞り羽根４２が駆動され（図４（Ｂ））、逆に菊座３２を反時計回り方向に回動すると、絞り開口４８が大きくなるように３枚の絞り羽根４２が駆動される（図４（Ａ））。
【００１３】
次に、図２、図５を参照して本体筒１２に対するアイリスリング２０と菊座３２との取り付け構造について詳説する。
アイリスリング２０に形成された係合孔２２は、レンズ鏡胴１０の光軸Ｌに対して平行に形成されている。また、前記係合孔２２の短径は、連結ピン２４のヘッド部２６の径よりも若干大きめに形成され、また、その長径は前記ヘッド部２６の径よりも略２倍の長さに形成されている。これにより、連結ピン２４を係合孔２２に挿入すると、連結ピン２４のヘッド部２６が係合孔２２に係合され、そして、連結ピン２４は、係合孔２２に沿ってヘッド部２６の径分だけ光軸Ｌ方向に前後移動することができる。
【００１４】
前記係合孔２２に連結ピン２４を挿入する際には、係合孔２２を本体筒１２側の組立用の開口部２８Ａに予め合わせる。係合孔２２を開口部２８Ａに合わせば、連結ピン２４のフランジ部３０が菊座３２に干渉することなく、連結ピン２４が係合孔２２に挿入される。これとは逆に、係合孔２２を絞り設定用の開口部２８Ｂに合わせた状態で連結ピン２４を挿入しようとしても、連結ピン２４が菊座３２と干渉するので、挿入することができない。即ち、前記開口部２８Ａは、連結ピン２４を菊座３２から逃がすための逃がし用孔として形成されている。
【００１５】
菊座３２に干渉することなく挿入された連結ピン２４は、開口部２８Ａに菊座３２の切欠部３４を合わせた後、切欠部３４に向けて押し込まれる。これにより、連結ピン２４のフランジ部３０が、菊座３２側のガイド溝３６にガイドされて切欠部３４に押し込まれ、ガイド溝３６を介して菊座３２に係合する。これにより、アイリスリング２０が連結ピン２４を介して菊座３２に連結される。
【００１６】
前記絞り設定用の開口部２８Ｂは、アイリスリング２０の回動に伴う連結ピン２４の周方向の移動をθ（図３参照）の範囲で規制する開口部である。また、前記開口部２８Ｂの周方向と直交する方向（光軸Ｌ方向）の幅は、連結ピン２４のフランジ部３０が前記ガイド溝３６から脱落しない程度に連結ピン２４が移動することができる幅に形成されている。即ち、前記開口部２８Ｂにおいて、連結ピン２４が光軸Ｌ方向に移動しても、アイリスリング２０と菊座３２との連結は解除されない。
【００１７】
図５に示すように、前記連結ピン２４の下端部には嵌合用のピン２５が一体形成されている。また、このピン２５に対向するレンズ枠体１６の外周面には、図５上左下がりのテーパ面（嵌合部）１７が形成されている。
したがって、連結ピン２４を前記開口部２８Ｂを利用して図５上矢印方向に移動させると、前記ピン２５が前記テーパ面１７に乗り上げて嵌合する。これにより、連結ピン２４がピン２５を介してレンズ枠体１６に固定されるので、アイリスリング２０の回動が防止される。また、この時、連結ピン２４のフランジ部３０は、菊座３２のガイド溝３６に係合された状態が保持されているので、菊座３２が不用意に回動することもない。
【００１８】
よって、ピン２５とテーパ面１７とで構成された本実施の形態のアイリスリング２０のロック機構によれば、アイリスリング２０を本体筒１２に対して確実にロックすることができる。また、前記ロック機構は、連結ピン２４を光軸Ｌ方向にスライド移動してアイリスリング２０をロックするので、ロック時に設定した絞り値が狂うこともない。更に、前記ロック機構は、本体筒１２に予め設けられているレンズ枠体１６をロック機構の構成部材として利用し、このレンズ枠体１６に連結ピン２４のピン２５と嵌合するテーパ面１７を形成したので、部品点数を増加することなく、ロック機構を構成することができる。更に、前記ロック機構は、グリスを使用しない構造なので、従来の欠点を解消することができ、ひいてはカメラ用レンズ鏡胴の小型化を図ることができる。
【００１９】
なお、ピン２５を図５上左方向に移動させると、ピン２５とテーパ面１７との嵌合を解除することができるので、この後に、アイリスリング２０を回動すれば、絞り値を新たな絞り値に変更することができる。
また、連結ピン２４を簡単に移動させるために、連結ピン２４のヘッド部２６にドライバー等を差し込む溝２７を図２の如く形成するのが好ましい。また、連結ピン２４のロック方向を示す「ＬＯＣＫ」文字２３を係合孔２２の近傍に印刷しておくと、連結ピン２４のロック方向を作業者に一見して認識させることができる。
【００２０】
図６は、本発明の第２の実施の形態に係るカメラ用レンズ鏡胴５０の断面図であり、図１〜図５に示した第１の実施の形態と同一若しくは類似の部材については同一の符号を付してその説明は省略する。
図６のカメラ用レンズ鏡胴５０と図１に示したカメラ用レンズ鏡胴１０との相違点について説明すると、図１のカメラ用レンズ鏡胴１０は、連結ピン２４を直接移動してアイリスリング２０をロックする構造であるのに対し、図６のカメラ用レンズ鏡胴５０は、アイリスリング５２を本体筒１２に対してスライド移動させることにより連結ピン２４を移動してアイリスリング５２をロックする構造である。
【００２１】
このため、前記アイリスリング５２は、図１のアイリスリング２０と比較して長さが短く形成され、また、図７に示すように連結ピン２４のヘッド部２６が嵌合する円形孔５４が形成されている。
このように、アイリスリング５２を移動させて連結ピン２４を間接的に移動させても、図１のカメラ用レンズ鏡胴１０と同様な効果を得ることができる。
【００２２】
なお、本実施の形態のロック機構では、連結ピン２４をレンズ枠体１６に嵌合させてアイリスリング２０をロックする機構について説明したが、これに限られるものではない。例えば、本体筒１２に連結ピン２４の嵌合部を形成し、この嵌合部に連結ピン２４を嵌合させてアイリスリング２０をロックさせても良く、また、レンズ鏡胴１０にフォーカス駆動機構、ズーム駆動機構が設けられている場合には、これらの駆動機構を構成する部材のうちレンズ鏡胴１０に対して固定される固定部材に前記嵌合部を形成し、この嵌合部に連結ピン２４を嵌合させてアイリスリング２０をロックさせても良い。即ち、本体筒１２側に、連結ピン２４との嵌合部を形成すれば、本発明の効果を達成することができる。
【００２３】
また、本実施の形態では、本発明をアイリスリング２０に適用した例について説明したが、レンズ鏡胴にフォーカス駆動機構、ズーム駆動機構が設けられている場合には、これらを駆動させるためのフォーカスリング、ズームリングについても、本発明のロック機構を適用することができる。
【００２４】
【発明の効果】
以上説明したように本発明に係るカメラ用レンズ鏡胴によれば、駆動リングと撮影条件設定手段とを連結している連結部材を、ロック機構によって係止して駆動リングの回動を防止したので、駆動リングをレンズ鏡胴の本体筒に対して確実にロックすることができる。
【００２５】
また、発明によれば、連結部材を光軸方向にスライド移動させて本体筒側に係止させるロック機構を採用したので、設定した絞り値が狂うことなく駆動リングをロックすることができる。
更に、本発明によれば、本体筒に設けられているレンズ枠体をロック機構の構成部材として利用したので、部品点数を増加することなく、ロック機構を構成することができる。
【図面の簡単な説明】
【図１】本発明の第１の実施の形態に係るカメラ用レンズ鏡胴の断面図
【図２】図１に示したカメラ用レンズ鏡胴の組立斜視図
【図３】図１に示したカメラ用レンズ鏡胴の図１上３−３線に沿う断面図
【図４】図１に示したカメラ用レンズ鏡胴の絞り羽根の動作を説明した図
【図５】連結ピンをレンズ枠体に嵌合させてアイリスリングの回動を防止した構造を示す拡大断面図
【図６】本発明の第２の実施の形態に係るカメラ用レンズ鏡胴の断面図
【図７】図６に示したカメラ用レンズ鏡胴のアイリスリングの斜視図
【符号の説明】
１０、５０…カメラ用レンズ鏡胴
１２…本体筒
１６…レンズ枠体
１７…テーパ面
２０、５２…アイリスリング
２４…連結ピン
２５…嵌合用ピン
３０…フランジ
３２…菊座
【図１】
0004013234.tif 000002
【図２】
0004013234.tif 000003
【図３】
0004013234.tif 000004
【図４】
0004013234.tif 000005
【図５】
0004013234.tif 000006
【図６】
0004013234.tif 000007
【図７】
0004013234.tif 000008